(57)【要約】【課題】  各建物間の相対変位を許容できるものでありながら、通行者の視覚に最も顕著に訴える部位を幅方向の段差の無い無段差に構成することで、外観が整えられて見栄えがよくなり、形態的な違和感を与えることがないエキスパンションジョイント手摺を提供する。【解決手段】  四辺組みされた第１および第２柵体２５，２６が長手方向に伸縮するエキスパンションジョイント手摺１において、通行者の視覚に最も顕著に訴える部位である第１，第２手摺ユニット２３，２４の上横材６２を、第１柵体２５の第１上弦材２７と、第１上弦材２７の長手方向の軸線Ｃ１上に配置されて第１上弦材２７を長手方向の相対移動自在に嵌挿して第１上弦材２７に組み合わされる第２柵体２６の第２上弦材３４とで構成して、外観を整えて見栄えをよくする。【選択図】        図３
2007308921.tif 000002
【特許請求の範囲】
【請求項１】
四辺組みされた第１および第２柵体によって長手方向に伸縮する手摺ユニットが構成され、この手摺ユニットの長手方向両端部の第１および第２支柱が隣接し相対変位する構造物側にヒンジによって鉛直軸線まわりに回動自在に連結されて前記構造物に跨がるエキスパンションジョイント手摺であって、
手摺ユニットの上横材は、第１柵体の第１上弦材と、第１上弦材の長手方向の軸線上に配置されて第１上弦材に長手方向の相対移動自在に相互に嵌合して組み合わされる第２柵体の第２上弦材とを有し、
手摺ユニットの下横材は、第１柵体の第１下弦材と、第１下弦材に平行かつ長手方向と直交する幅方向に隣接して長手方向の相対移動自在に配置された第２柵体の第２下弦材とを有しているとともに、第１下弦材と第２下弦材とが連結手段によって長手方向の相対移動自在に相互に連結され、
第１上弦材の長手方向一端部と第１下弦材の長手方向一端部とが前記第１支柱によって連結され、前記一端部を除く第１上弦材と第１下弦材とが複数の第１竪桟によって連結され、
第２上弦材の長手方向他端部と第２下弦材の長手方向他端部とが前記第２支柱によって連結され、前記他端部を除く第２上弦材と第２下弦材とが複数の第２竪桟によって連結されることを特徴とするエキスパンションジョイント手摺。
【請求項２】
請求項１に記載のエキスパンションジョイント手摺において、
前記第１上弦材は、第１支柱の上端部を上から覆って長手方向に延びる内外二重構造の円弧状の屋根部と、各円弧状の屋根部の幅方向両端部から垂設されて相対向する内外二重構造の縦壁部と、内側の一方の縦壁部から内側の他方の縦壁部に向かって幅方向に水平に延設された一方の支柱連結板部および外側の他方の縦壁部に連設されて内側の一方の縦壁部に向かって幅方向に水平に延設され前記一方の支柱連結板部の長手方向の一部に幅方向で相対向する他方の支柱連結板部からなる第１支柱連結板部と、前記複数の第１竪桟の上端部を上から覆って長手方向に延びる前記内側の円弧状の屋根部と内側の各縦壁部および第１竪桟連結板部として機能する前記一部を除く一方の支柱連結板部とを有する第１笠木部材と、第１支柱連結板部が装着され、第１支柱の上端部が連結される第１笠木受け部材と、前記一部を除く一方の支柱連結板部が装着され、各第１竪桟の上端部が連結される第１竪桟受け部材とを含み、
前記第２上弦材は、第２支柱の上端部を上から覆って長手方向に延びる内外二重構造の円弧状の屋根部と、各円弧状の屋根部の幅方向両端部から垂設されて相対向する内外二重構造の縦壁部と、外側の他方の縦壁部に連設されて内側の一方の縦壁部に向かって幅方向に水平に延設された他方の支柱連結板部および内側の一方の縦壁部から内側の他方の縦壁部に向かって幅方向に水平に延設され前記他方の支柱連結板部の長手方向の一部に幅方向で相対向する一方の支柱連結板部からなる第２支柱連結板部と、前記複数の第２竪桟の上端部を上から覆って長手方向に延びる前記外側の円弧状の屋根部と外側の各縦壁部および第２竪桟連結板部として機能する前記一部を除く他方の支柱連結板部とを有する第２笠木部材と、第２支柱連結板部が装着され、第２支柱の上端部が連結される第２笠木受け部材と、前記一部を除く他方の支柱連結板部が装着され、各第２竪桟の上端部が連結される第２竪桟受け部材とを含むことを特徴とするエキスパンションジョイント手摺。
【請求項３】
請求項１または請求項２に記載のエキスパンションジョイント手摺において、
前記下横材の幅方向の大きさは、上横材の幅方向の大きさ以内に設定されていることを特徴とするエキスパンションジョイント手摺。
【請求項４】
請求項１，請求項２または請求項３に記載のエキスパンションジョイント手摺において、
前記連結手段は、第１下弦材と第２下弦材の一方に形成された長手方向に延びるレール部と、このレール部がその長手方向に移動自在に嵌まり込むように第１下弦材と第２下弦材の他方に形成された長手方向に延びる案内溝部とのペアによって構成され、このペアが上下２位置に分離して設けられることを特徴とするエキスパンションジョイント手摺。
【発明の詳細な説明】
【技術分野】
【０００１】
本発明は、隣接する２つの建物間に設けられる渡り通路の手摺として好適に実施することができるエキスパンションジョイント手摺に関する。
【背景技術】
【０００２】
図１９は、従来のエキスパンションジョイント手摺１を示す鉛直断面図であり、このエキスパンションジョイント手摺１は、たとえば特許文献１に記載されている。すなわち、隣接する２つの建物間で相互の通行を可能とするため、各建物は渡り通路によって接続されている。この渡り通路には、通行者の転落および物体の落下を防ぐために、目地カバー体２の図１９の紙面に垂直な通行方向に向かって左右両側部には、エキスパンションジョイント手摺１が設けられている。
【０００３】
前記エキスパンションジョイント手摺１は、通路の内側（図１９の右側）に配置され、一方の建物に図示しないヒンジによって鉛直軸線まわりに回動自在に連結される第１手摺組立体３と、この第１手摺組立体３よりも外側（図１９の左側）に隣接して配置され、他方の建物に図示しないヒンジによって鉛直軸線まわりに回動自在に連結される第２手摺組立体４とを有する。
【０００４】
第１手摺組立体３は、第１上弦材５の長手方向両端部と、第１下弦材６の長手方向両端部とが第１支柱７によって連結され、各第１支柱７間には、上端部が第１上弦材５に連結され、かつ下端部が第１下弦材６に連結される複数の第１竪桟８が設けられる。
【０００５】
第２手摺組立体４は、第２上弦材９の長手方向両端部と、第２下弦材１０の長手方向両端部とが第２支柱１１によって連結され、各第２支柱１１間には、上端部が第２上弦材９に連結され、かつ下端部が第２下弦材１０に連結される複数の第２竪桟１２が設けられる。
【０００６】
前記第１および第２上弦材５，９には、案内溝１３，１４が相互に対向してそれぞれ形成される。これらの案内溝１３，１４には、断面がＨ字状のスライド芯材１５が挿入され、このスライド芯材１５と各案内溝１３，１４とによって、第１および第２上弦材５，９が長手方向に移動自在に連結される。
【０００７】
また、第１および第２下弦材６，１０には、案内溝１６，１７が相互に対向してそれぞれ形成される。これらの案内溝１６，１７には、断面がＨ字状のスライド芯材１８が挿入され、このスライド芯材１８と各案内溝１６，１７とによって、第１および第下上弦材６，１０が長手方向に移動自在に連結される。
【０００８】
各建物が急激な地震によって近接および離反する方向に相対変位すると、第１および第２手摺組立体３，４は、各建物の変位に追従して変位するが、第１および第２上弦材５，９ならびに第１および第２下弦材６，１０は、各案内溝１３，１４、１６，１７に挿入されたスライド芯材１５，１８によって長手方向に移動自在に連結されているため、第１および第２手摺組立体３，４の相対変位が許容され、第１および第２手摺組立体３，４が互いに干渉して破損してしまうことが防がれ、地震が生じても通路の両側が開放されないようにして、通行者の安全を確保している。
【０００９】
【特許文献１】特開２００１−２２０８３２号公報。
【発明の開示】
【発明が解決しようとする課題】
【００１０】
前記特許文献１に記載のエキスパンションジョイント手摺１は、第１手摺組立体３の幅方向の外側に隣接して第２手摺組立体３を配置した幅方向の有段差構造であるため、見栄えがよくなく、形態的に違和感を与える視覚上の問題がある。
【００１１】
本発明は、このような問題を解決するものであって、その目的とするところは、各建物間の相対変位を許容できるものでありながら、通行者の視覚に最も顕著に訴える部位を幅方向の段差の無い無段差に構成することで、外観が整えられて見栄えがよくなり、形態的な違和感を与えることがないエキスパンションジョイント手摺を提供することにある。
【課題を解決するための手段】
【００１２】
本発明は、四辺組みされた第１および第２柵体によって長手方向に伸縮する手摺ユニットが構成され、この手摺ユニットの長手方向両端部の第１および第２支柱が隣接し相対変位する構造物側にヒンジによって鉛直軸線まわりに回動自在に連結されて前記構造物に跨がるエキスパンションジョイント手摺であって、
手摺ユニットの上横材は、第１柵体の第１上弦材と、第１上弦材の長手方向の軸線上に配置されて第１上弦材に長手方向の相対移動自在に相互に嵌合して組み合わされる第２柵体の第２上弦材とを有し、
手摺ユニットの下横材は、第１柵体の第１下弦材と、第１下弦材に平行かつ長手方向と直交する幅方向に隣接して長手方向の相対移動自在に配置された第２柵体の第２下弦材とを有しているとともに、第１下弦材と第２下弦材とが連結手段によって長手方向の相対移動自在に相互に連結され、
第１上弦材の長手方向一端部と第１下弦材の長手方向一端部とが前記第１支柱によって連結され、前記一端部を除く第１上弦材と第１下弦材とが複数の第１竪桟によって連結され、
第２上弦材の長手方向他端部と第２下弦材の長手方向他端部とが前記第２支柱によって連結され、前記他端部を除く第２上弦材と第２下弦材とが複数の第２竪桟によって連結されることを特徴とするエキスパンションジョイント手摺である。
【００１３】
また本発明は、前記第１上弦材は、第１支柱の上端部を上から覆って長手方向に延びる内外二重構造の円弧状の屋根部と、各円弧状の屋根部の幅方向両端部から垂設されて相対向する内外二重構造の縦壁部と、内側の一方の縦壁部から内側の他方の縦壁部に向かって幅方向に水平に延設された一方の支柱連結板部および外側の他方の縦壁部に連設されて内側の一方の縦壁部に向かって幅方向に水平に延設され前記一方の支柱連結板部の長手方向の一部に幅方向で相対向する他方の支柱連結板部からなる第１支柱連結板部と、前記複数の第１竪桟の上端部を上から覆って長手方向に延びる前記内側の円弧状の屋根部と内側の各縦壁部および第１竪桟連結板部として機能する前記一部を除く一方の支柱連結板部とを有する第１笠木部材と、第１支柱連結板部が装着され、第１支柱の上端部が連結される第１笠木受け部材と、前記一部を除く一方の支柱連結板部が装着され、各第１竪桟の上端部が連結される第１竪桟受け部材とを含み、
前記第２上弦材は、第２支柱の上端部を上から覆って長手方向に延びる内外二重構造の円弧状の屋根部と、各円弧状の屋根部の幅方向両端部から垂設されて相対向する内外二重構造の縦壁部と、外側の他方の縦壁部に連設されて内側の一方の縦壁部に向かって幅方向に水平に延設された他方の支柱連結板部および内側の一方の縦壁部から内側の他方の縦壁部に向かって幅方向に水平に延設され前記他方の支柱連結板部の長手方向の一部に幅方向で相対向する一方の支柱連結板部からなる第２支柱連結板部と、前記複数の第２竪桟の上端部を上から覆って長手方向に延びる前記外側の円弧状の屋根部と外側の各縦壁部および第２竪桟連結板部として機能する前記一部を除く他方の支柱連結板部とを有する第２笠木部材と、第２支柱連結板部が装着され、第２支柱の上端部が連結される第２笠木受け部材と、前記一部を除く他方の支柱連結板部が装着され、各第２竪桟の上端部が連結される第２竪桟受け部材とを含むことを特徴とする。
【００１４】
さらに本発明は、前記下横材の幅方向の大きさは、上横材の幅方向の大きさ以内に設定されていることを特徴とする。
【００１５】
また本発明は、前記連結手段は、第１下弦材と第２下弦材の一方に形成された長手方向に延びるレール部と、このレール部がその長手方向に移動自在に嵌まり込むように第１下弦材と第２下弦材の他方に形成された長手方向に延びる案内溝部とのペアによって構成され、このペアが上下２位置に分離して設けられることを特徴とする。
【発明の効果】
【００１６】
本発明によれば、手摺ユニットの上横材は、第１柵体の第１上弦材と、第１上弦材の長手方向の軸線上に配置されて第１上弦材に長手方向の相対移動自在に相互に嵌合して組み合わされる第２柵体の第２上弦材とを有して、幅方向の段差の無い無段差に構成された上横材を実現できる。エキスパンションジョイント手摺において、通行者の視覚に最も顕著に訴える部位は手摺ユニットの上横材であると考えられるから、幅方向の段差の無い無段差に構成された上横材によって、外観が整えられて見栄えがよくなるので、形態的な違和感を与えることがない。また、第１上弦材と第２上弦材とが相対移動自在に相互に嵌合して組み合わされることによって、第１上弦材と第２上弦材の上下方向および幅方向の相対変位が抑えられて、第１上弦材と第２上弦材の円滑な長手方向の相対移動を実現して、各建物の近接および離反する方向の相対変位に追従して第１上弦材と第２上弦材との長手方向の相対移動を許容できる。
【００１７】
また本発明によれば、第１上弦材の第１笠木部材および第２上弦材の第２笠木部材は、それぞれ円弧状の屋根部を有しているので、平坦な屋根部の笠木部材よりも見栄えがよくなる。円弧状の屋根部を有している第１笠木部材および第２笠木部材は、同じ素材で等しい肉厚を有して等高・等幅で形成された平坦な屋根部を有している笠木部材よりも強度アップを図れる。そのため、第１笠木部材および第２笠木部材それぞれの肉厚を小さく設定しても、所定の強度を十分に確保できるので、第１笠木部材と第２笠木部材との間にいずれか一方の第１笠木部材の肉厚によって生じる段差を小さく抑えて上横材の外観を整えることができる。
【００１８】
さらに本発明によれば、下横材の幅方向の大きさは、上横材の幅方向の大きさ以内に設定されているので、下横材に形成される幅方向の段差を上横材の幅方向の大きさの略１／２に縮小して下横材の外観を整えることができる。
【００１９】
また本発明によれば、下横材の第１下弦材と第２下弦材とを長手方向の相対移動自在に相互に連結している連結手段は、第１下弦材と第２下弦材の一方に形成されたレール部と、このレール部がその長手方向に移動自在に嵌まり込むように第１下弦材と第２下弦材の他方に形成された案内溝部とのペアが上下２位置に離反して設けられることによって構成されているので、第１下弦材と第２下弦材との連結力が高められ、第１下弦材と第２下弦材の上下方向および幅方向の相対変位が抑えられて、第１下弦材と第２下弦材の円滑な長手方向の相対移動を実現して、各建物の近接および離反する方向の相対変位に追従して第１下弦材と第２下弦材との長手方向の相対移動を許容できる。
【発明を実施するための最良の形態】
【００２０】
以下、本発明に係るエキスパンションジョイント手摺の好ましい一実施形態を図面に基づいて説明する。図１は本発明に係るエキスパンションジョイント手摺２０が適用される渡り通路２１の正面図、図２は図１の切断面線II−IIら見たエキスパンションジョイント手摺の平面図である。隣接した２つの建物Ａ，Ｂ間に、目地として空隙Ｃが存在し、この空隙Ｃを介して各建物Ａ，Ｂの通路Ａ１、Ｂ１間を通行可能とするために、各建物Ａ，Ｂ間には渡り通路２１が設けられる。各建物Ａ，Ｂは、たとえばコンクリート構造物からなる。
【００２１】
前記渡り通路２１は、各建物Ａ，Ｂが地震などによって相互に近接および離反する長手方向Ｘ（図２において左右方向）と、前記近接および離反する方向Ｘに水平面上で直角な幅方向Ｙ（図２において上下方向）とに生じる相対変位を許容するため、エキスパンションジョイントと称される伸縮継手構造が採用されている。
【００２２】
このような渡り通路２１は、各建物Ａ，Ｂの通路Ａ１、Ｂ１にわたって略水平に掛け渡される伸縮床構造体２２と、伸縮床構造体２２の幅方向Ｙの両側に立設される本発明に係るエキスパンションジョイント手摺２０とによって構成される。
【００２３】
エキスパンションジョイント手摺２０は、渡り通路２１の幅方向Ｙの両側に相互に対向して平行に立設される第１手摺ユニット２３と第２手摺ユニット２４とを含み、これら第１および第２手摺ユニット２３，２４は、それぞれの長手方向Ｘ、つまり各建物Ａ，Ｂが地震などによって相互に近接および離反する方向Ｘに伸縮する四辺組みされた第１柵体２５と第２柵体２６とで構成される。
【００２４】
第１柵体２５は、第１上弦材２７と、第１下弦材２８と、第１支柱２９と、長手方向に所定の間隔を隔てて設けられる複数の第１竪桟とを有する。第１上弦材２７の長手方向一端部（図１，図２の左端部）と第１下弦材２８の長手方向一端部とは、第１支柱２９によって連結され、前記一端部以外には、上端部が第１上弦材２７に連結され、かつ下端部が第１下弦材２８に連結される複数の第１竪桟３０が設けられる。第１支柱２９は、一方の建物Ａ側の支柱３１に、上下各一対のヒンジ３２，３３によって鉛直軸線まわりに回動自在に連結される。
【００２５】
第２柵体２６は、第２上弦材３４と、第２下弦材３５と、第２支柱３６と、長手方向に所定の間隔を隔てて設けられる複数の第２竪桟３７とを有する。第２上弦材３４の長手方向他端部（図１，図２の右端部）と第２下弦材３５の長手方向他端部とは、第２支柱３６によって連結され、前記他端部以外には、上端部が第２上弦材３４に連結され、かつ下端部が第２下弦材３５に連結される複数の第２竪桟３７が設けられる。第２支柱３６は、他方の建物Ｂ側の支柱３８に、上下各一対のヒンジ３９，４０によって鉛直軸線まわりに回動自在に連結される。
【００２６】
各建物Ａ，Ｂの通路Ａ１、Ｂ１の床Ａ１ａ，Ｂ１ｂ間にわたって、前記伸縮床構造体２２が設けられる。この伸縮床構造体２２は、各床Ａ１ａ，Ｂ１ｂの相互に近接および離反する長手方向Ｘと幅方向Ｙとに生じる相対変位を許容できるように設けられている。
【００２７】
図３は図１の切断面線ＩＩＩ−ＩＩＩから見たエキスパンションジョイント手摺の拡大側面図、図４は第１，第２手摺ユニットの第１上弦材と第２上弦材との嵌挿状態を拡大して示す斜視図、図５は第１，第２手摺ユニットの第１上弦材の一端部を拡大して示す斜視図、図６は第１，第２手摺ユニットの第２上弦材の他端部を拡大して示す斜視図である。第１および第２手摺ユニット２３，２４の上横材６２は、第１柵体２５の第１上弦材２７と、第１上弦材２７を長手方向の相対移動自在に嵌挿する第２柵体２６の第２上弦材３４とを有している。
【００２８】
前記第１上弦材２７は、第１支柱２９の上端部を上から覆って長手方向に延びる内外二重構造の円弧状の屋根部４１、４２と、内側の円弧状の屋根部４１の幅方向両端部から垂設されて相対向する内側の縦壁部４１ａ，４１ｂと、外側の円弧状の屋根部４２の幅方向両端部から垂設されて相対向する外側の縦壁部４２ａ，４２ｂと、内側の一方の縦壁部４１ａから内側の他方の縦壁部４１ｂに向かって幅方向に水平に延設された一方の支柱連結板部４３と、外側の一方の縦壁部４２ａの下端部に長手方向に延びて形成されて内側の一方の縦壁部４１ａの下端部を下側から支承する一方の支承部４４と、外側の他方の縦壁部４２ｂの下端部に長手方向に延びて形成されて内側の他方の縦壁部４１ｂの下端部を下側から支承する他方の支承部４５と、この他方の支承部４５の上端部から内側の一方の縦壁部４１ａに向かって幅方向に水平に延設され前記一方の支柱連結板部４３の長手方向の一部に幅方向で相対向する他方の支柱連結板部４６とを有している。
【００２９】
また前記第１上弦材２７は、一方の支柱連結板部４３の長手方向の一部と他方の支柱連結板部４６とで構成される第１支柱連結板部４７と、各第１竪桟３０の上端部を上から覆って長手方向に延びる前記内側の円弧状の屋根部４１と内側の各縦壁部４１ａ，４１ｂおよび第１竪桟連結板部４８として機能する前記一部を除く一方の支柱連結板部４３とを有する第１笠木部材４９と、第１支柱連結板部４７が装着され、第１支柱２９の上端部が連結される第１笠木受け部材（図８，図９ａ参照）と、一部を除く一方の支柱連結板部４３が装着され、各第１竪桟３０の上端部が連結される第１竪桟受け部材５１（図１１，１２参照）とを含む。内側の各縦壁部４１ａ，４１ｂそれぞれの内面における一方の支柱連結板部４３よりも上側には、タッピングねじ止め用の突条５２が長手方向に延設されている。
【００３０】
前記第２上弦材３４は、第２支柱３６の上端部を上から覆って長手方向に延びる内外二重構造の円弧状の屋根部４１、４２と、内側の円弧状の屋根部４１の幅方向両端部から垂設されて相対向する内側の縦壁部４１ａ，４１ｂと、外側の円弧状の屋根部４２の幅方向両端部から垂設されて相対向する外側の縦壁部４２ａ，４２ｂと、外側の一方の縦壁部４２ａの下端部に長手方向に延びて形成されて内側の一方の縦壁部４１ａの下端部を下側から支承する一方の支承部４４と、外側の他方の縦壁部４２ｂの下端部に長手方向に延びて形成されて内側の他方の縦壁部４１ｂの下端部を下側から支承する他方の支承部４５と、この他方の支承部４５の上端部から内側の一方の縦壁部４１ａに向かって幅方向に水平に延設された他方の支柱連結板部４６と内側の一方の縦壁部４１ａから内側の他方の縦壁部４１ｂに向かって幅方向に水平に延設され前記他方の支柱連結板部４６の長手方向の一部に幅方向で相対向する一方の支柱連結板部４３とを有している。
【００３１】
また前記第２上弦材３４は、他方の支柱連結板部４６の長手方向の一部と一方の支柱連結板部４３とで構成される第２支柱連結板部５３と、各第２竪桟３７の上端部を上から覆って長手方向に延びる前記外側の円弧状の屋根部４２と外側の各縦壁部４２ａ，４２ｂおよび第２竪桟連結板部５４として機能する前記一部を除く他方の支柱連結板部４６とを有する第２笠木部材５５と、第２支柱連結板部４３が装着され、第２支柱３６の上端部が連結される第２笠木受け部材（図８，図９ａ参照）と、一部を除く他方の支柱連結板部４６が装着され、各第２竪桟３７の上端部が連結される第２竪桟受け部材５７（図１１，１２参照）とを含む。内側の各縦壁部４１ａ，４１ｂそれぞれの内面における一方の支柱連結板部４３よりも上側には、タッピングねじ止め用の突条５２が長手方向に延設されている。
【００３２】
図４に示すように、第１上弦材２７の円弧状の屋根部４１と各縦壁部４１ａ，４１ｂとの他端部は、小さい隙間を有して第２上弦材３４の円弧状の屋根部４２と各縦壁部４２ａ，４２ｂとの一端部に嵌挿されるとともに、第１上弦材２７の一方の縦壁部４１ａの下端部が第２上弦材３４の一方の支承部４４に摺動自在に支承され、かつ第１上弦材２７の他方の縦壁部４１ｂの下端部が第２上弦材３４の他方の支承部４５に摺動自在に支承されることで、第１上弦材２７の他端部が第２上弦材３４の一端部に長手方向の相対移動自在に嵌挿される。これにより、第１柵体２５の第１上弦材２７の長手方向の軸線Ｃ１上に第２柵体２６の第２上弦材３４が配置されて相互に嵌合して組み合わされた第１および第２手摺ユニット２３，２４の上横材６２を実現できる。
【００３３】
図５に示すように、第１上弦材２７の長手方向の一端開口部は、第１小口蓋板５８によって塞がれる。第１小口蓋板５８は、第１小口蓋板５８を貫通してタッピングねじ止め用の突条５２の一端開口部側から長手方向にタッピングねじ（図示省略）をねじ込んで、タッピングねじ止め用の突条５２にねじ立てを行うことによって第１上弦材２７の長手方向の一端開口部を塞いで固定される。外側の縦壁部４２ａ，４２ｂと内側の縦壁部４１ａ，４１ｂとは、外側の縦壁部４２ａ，４２ｂの外側からタッピングねじ止め用の突条５２に向かって水平にタッピングねじ（図示省略）をねじ込んで、タッピングねじ止め用の突条５２にねじ立てを行うことによって一体に結合される。
【００３４】
図６に示すように、第２上弦材３４の長手方向の他端開口部は、第２小口蓋板６０によって塞がれる。第２小口蓋板６０は、第２小口蓋板６０を貫通してタッピングねじ止め用の突条５２の他端開口部側から長手方向にタッピングねじ（図示省略）をねじ込んで、タッピングねじ止め用の突条５２にねじ立てを行うことによって第２上弦材３４の長手方向の他端開口部を塞いで固定される。また、外側の縦壁部４２ａ，４２ｂと内側の縦壁部４１ａ，４１ｂとは、外側の縦壁部４２ａ，４２ｂの外側からタッピングねじ止め用の突条５２に向かって水平にタッピングねじ（図示省略）をねじ込んで、タッピングねじ止め用の突条５２にねじ立てを行うことによって一体に結合される。
【００３５】
図７は第１，第２支柱２９，３６の拡大横断面図である。第１，第２支柱２９，３６は断面形状が長方形の筒体からなり、その四隅のそれぞれにタッピングねじ止め用の突条６３が長手方向に延設されている。図８は第１，第２笠木受け部材５０，５６の拡大斜視図である。第１，第２笠木受け部材５０，５６は、平坦部６４と、平坦部６４の長手方向の両端部のそれぞれに上向きに突設された一対の突条６４ａとを有し、その幅方向の寸法Ｗ１は、第１，第２支柱２９，３６の幅方向の寸法（長辺の寸法）Ｗ２（図７参照）に略等しく設定され、長手方向の寸法Ｌ１は、幅方向の寸法Ｗ１よりも十分に大きく設定されている。平坦部６４には、上下方向に貫通する８個の透孔６５が形成されている。
【００３６】
図９（ａ）は第１，第２笠木部材４９，５５と第１，第２笠木受け部材５０，５６との連結を示す側面図であり、図９（ｂ）は第１，第２支柱２９，３６と第１，第２笠木受け部材５０，５６との連結を示す斜視図である。まず図９（ｂ）のように、第１，第２支柱２９，３６の上面に第１，第２笠木受け部材５０，５６を載置して、８個の透孔６５の内の中央部の４個の透孔６５を第１，第２支柱２９，３６四隅のタッピングねじ止め用の突条６３の上側に対向させて、前記４個の透孔６５を貫通して四隅のタッピングねじ止め用の突条６３の上端開口部側から下向きにタッピングねじ（図示省略）をねじ込んで、各タッピングねじ止め用の突条６３にねじ立てを行うことによって、第１，第２支柱２９，３６の上面に第１，第２笠木受け部材５０，５６を固定する。
【００３７】
つぎに図９（ａ）のように、第１，第２笠木受け部材５０，５６を第１，第２笠木部材４９，５５の第１，第２支柱連結板部４７，５３の下側に対向させて、第１，第２支柱連結板部４７，５３に予め形成されている上下方向に貫通する４個のねじ下孔（図示省略）の下側に前記中央部の４個の透孔６５を除いた残りの４個の透孔６５を対向させ、これらの４個の透孔６５を貫通して前記４個のねじ下孔に上向きにタッピングねじ６７をねじ込んで、４個のねじ下孔ににねじ立てを行い、一対の突条６４ａそれぞれの上端面を第１，第２笠木部材４９，５５の第１，第２支柱連結板部４７，５３の下面に当接させることによって、第１，第２支柱連結板部４７，５３の下側に第１，第２笠木受け部材５０，５６を装着する。
【００３８】
図１０は第１，第２竪桟３０，３７の拡大横断面図である。各第１，第２竪桟３０，３７は断面形状が略正方形の筒体からなり、その幅方向で相互に対向する２辺にタッピングねじ止め用の突条６８が長手方向に延設されている。図１１は各第１，第２竪桟受け部材５１，５７と各第１，第２竪桟３０，３７との連結を示す拡大斜視図であり、図１２は第１，第２竪桟受け部材５１，５７と第１，第２笠木部材４９，５５との連結を示す側面図である。第１，第２竪桟受け部材５１，５７は平坦なリブ６９と、平坦なリブ６９の幅方向両端部から上下に突出して相互に対向するフランジ７０とを有する断面略Ｈ形のもので、相互に対向するフランジ７０の内法Ｗ３は各第１，第２竪桟３０，３７の幅方向の寸法Ｗ４よりも若干大きく設定されている。平坦なリブ６９には、幅方向の間隔を有して上下方向に貫通する一対で１組の透孔７１が長手方向に所定の間隔を有して複数組形成されているとともに、各一対で１組の透孔７１間の中央部に上下方向に貫通する透孔７２が形成されている。
【００３９】
まず図１１のように、各第１，第２竪桟３０，３７の上面に第１，第２竪桟受け部材５１，５７を載置して、各一対で１組の透孔７１を各第１，第２竪桟３０，３７のタッピングねじ止め用の突条６８（図１０参照）の上側に対向させて、各一対で１組の透孔７１を貫通してタッピングねじ止め用の突条６８の上端開口部側から下向きにタッピングねじ７３をねじ込んで、各タッピングねじ止め用の突条６８にねじ立てを行うことによって、各第１，第２竪桟３０，３７の上面に第１，第２竪桟受け部材５１，５７を固定する。
【００４０】
つぎに図１２のように、第１竪桟受け部材５１を第１笠木部材４９における第１竪桟連結板部４８として機能する前記一部を除く一方の支柱連結板部４３の下側に対向させて、この一方の支柱連結板部４３に予め形成されている上下方向に貫通する複数のねじ下孔（図示省略）の下側に第１竪桟受け部材５１の平坦なリブ６９に形成されている複数の透孔７２（図１１参照）を対向させ、これら複数の透孔７２を貫通して前記複数のねじ下孔に上向きにタッピングねじ６７をねじ込んで、複数のねじ下孔にねじ立てを行い、一対のフランジ７０それぞれの上端面を第１竪桟連結板部４８として機能する前記一部を除く一方の支柱連結板部４３の下面に当接させることによって、前記一部を除く一方の支柱連結板部４３の下側に第１竪桟受け部材５１を装着する。
【００４１】
また図１２のように、第２竪桟受け部材５７を第２笠木受け部材５６における第２竪桟連結板部５４として機能する前記一部を除く他方の支柱連結板部４６の下側に対向させて、この他方の支柱連結板部４６に予め形成されている上下方向に貫通する複数のねじ下孔（図示省略）の下側に第２竪桟受け部材５７の平坦なリブ６９に形成されている複数の透孔７２（図１１参照）を対向させ、これら複数の透孔７２を貫通して前記複数のねじ下孔に上向きにタッピングねじ６７をねじ込んで、複数のねじ下孔にねじ立てを行い、一対のフランジ７０それぞれの上端面を第２竪桟連結板部５４として機能する前記一部を除く他方の支柱連結板部４６の下面に当接させることによって、前記一部を除く他方の支柱連結板部４６の下側に第２竪桟受け部材５７を装着する。
【００４２】
図１３は第１手摺ユニット２３の第２下弦材３５の他端部と第２支柱３６との連結状態を拡大して示す斜視図であり、図１４は第１手摺ユニット２３の第１下弦材２８の他端部側と第２下弦材３５の一端部側との連結状態を拡大して示す斜視図である。また図１５は第１手摺ユニット２３の第１下弦材２８の一端部と第１支柱２９との連結状態を拡大して示す斜視図である。第１手摺ユニット２３の下横材７４は、第１柵体２５の第１下弦材２８と、第１下弦材２８に平行かつ長手方向と直交する幅方向内側に隣接して長手方向の相対移動自在に配置された第２柵体２６の第２下弦材３５とを有しているとともに、第１下弦材２８と第２下弦材３５とが長手方向に延びる連結手段７５によって長手方向の相対移動自在に相互に連結される。
【００４３】
前記第１，第２下弦材２８，３５は、下辺を開口した断面形状が門形のもので、各第１，第２下弦材２８，３５を長手方向の相対移動自在に相互に連結する前記連結手段７５は、図１６に示すように、第１下弦材２８と第２下弦材３５に一体に形成されたレール部７６と、このレール部７６がその長手方向に移動自在に嵌まり込むように第１下弦材２８と第２下弦材３５に一体に形成された案内溝部７７とのペア７８が上下２位置に離反して設けられることによって構成される。
【００４４】
図１３のように、第１手摺ユニット２３の第２下弦材３５の他端部における幅方向の外側には、前記第１下弦材２８を短く切断することによって得られる補助部材７９が前記連結手段７５によって連結される。第２下弦材３５の他端部と補助部材７９の上面に第２支柱３６の下端部を載置して、第２支柱３６四隅のタッピングねじ止め用の突条６３を第２下弦材３５の他端部と補助部材７９の上面に予め形成されている４個の透孔８０の上側に対向させて、これらの４個の透孔８０を貫通して四隅のタッピングねじ止め用の突条６３の下端開口部側から上向きにタッピングねじ８０ａをねじ込んで、各タッピングねじ止め用の突条６３にねじ立てを行うことによって、第２下弦材３５の他端部と補助部材７９の上面に第２支柱３６を固定する。補助部材７９の長手方向の両端開口部および第２下弦材３５の他端開口部は、第３小口蓋板８１と第４小口蓋板８２とによって塞がれる。
【００４５】
図１５のように、第１手摺ユニット２３の第１下弦材２８の一端部における幅方向の内側には、前記第２下弦材３５を短く切断することによって得られる補助部材８３が前記連結手段７５によって連結される。第１下弦材２８の一端部と補助部材８３の上面に第１支柱２９の下端部を載置して、第１支柱２９四隅のタッピングねじ止め用の突条６３を第１下弦材２８の一端部と補助部材８３の上面に予め形成されている４個の透孔８０の上側に対向させて、これらの４個の透孔８０を貫通して四隅のタッピングねじ止め用の突条６３の下端開口部側から上向きにタッピングねじ８０ａをねじ込んで、各タッピングねじ止め用の突条６３にねじ立てを行うことによって、第１下弦材２８の一端部と補助部材８３の上面に第１支柱２９を固定する。補助部材８３の長手方向の両端開口部および第１下弦材２８の一端開口部は、第５小口蓋板８５と第６小口蓋板８６とによって塞がれる。
【００４６】
図１６は第１，第２下弦材２８，３５と第１，第２竪桟３０，３７との連結を示す拡大断面図である。第１下弦材２８の上面に各第１竪桟３０の下端部を載置して、タッピングねじ止め用の突条６８（図１０参照）の下側に第１下弦材２８の上面に予め形成されている各一対で複数組の透孔（図示省略）を対向させて、これらの透孔を貫通してタッピングねじ止め用の突条６８の下端開口部側から上向きにタッピングねじ８７をねじ込んで、各タッピングねじ止め用の突条６８にねじ立てを行うことによって、第１下弦材２８の上面に各第１竪桟３０の下端部を固定する。
【００４７】
また第２下弦材３５の上面に各第２竪桟３７の下端部を載置して、タッピングねじ止め用の突条６８（図１０参照）の下側に第２下弦材３５の上面に予め形成されている各一対で複数組の透孔（図示省略）を対向させて、これらの透孔を貫通してタッピングねじ止め用の突条６８の下端開口部側から上向きにタッピングねじ８８をねじ込んで、各タッピングねじ止め用の突条６８にねじ立てを行うことによって、第２下弦材３５の上面に各第２竪桟３７の下端部を固定する。
【００４８】
第１手摺ユニット２３の下横材７４の幅方向の大きさＷ５は、図３のように上横材６２の幅方向の大きさＷ６に略等しく設定されているので、下横材７４に形成される幅方向の段差を下横材７４の幅方向の大きさＷ５の略１／２に縮小して下横材７４の外観を整えることができる。なお、第２手摺ユニット２４の下横材７４は、図２のように第１手摺ユニット２３の下横材７４と同じ構造でありかつ第１手摺ユニット２３と同様に第１，第２支柱２９，３６および各第１，第２竪桟３０，３７の下端部が連結されるので、第２手摺ユニット２４の構造説明は省略し、第１手摺ユニット２３と同一部分には、図２において同一符号を付す。
【００４９】
前記第１笠木部材４９と第２笠木部材５５は、アルミニウム合金製またはステンレスなどの不銹鋼製の押し出し形材によって製作できるので生産性が向上する。また前記第１笠木受け部材５０と第２笠木受け部材５６との第１グループ、第１竪桟受け部材５１と第２竪桟受け部材５７との第２グループ、第１支柱２９と第２支柱３６との第３グループ、第１竪桟３０と第２竪桟３７との第４グループは、各グループ毎で前記押し出し形材によって共用可能に製作できるので生産性が向上する。さらに第１下弦材２８と第２下弦材３５は、前記押し出し形材によって製作できるので生産性が向上する。また、補助部材７９は第１下弦材２８を短く切断することによって得られ、補助部材８３は第２下弦材２８を短く切断することによって得られるので、各補助部材７９，８３の生産性が向上する。
【００５０】
前記構成の実施形態において、第１，第２手摺ユニット２３，２４の上横材６２は、第１柵体２５の第１上弦材２７と、第１上弦材２７の長手方向の軸線Ｃ１上に配置されて第１上弦材２７に長手方向の相対移動自在に相互に嵌合して組み合わされる第２柵体２６の第２上弦材３４とを有して、幅方向の段差の無い無段差に構成された上横材６２を実現できる。エキスパンションジョイント手摺１において、通行者の視覚に最も顕著に訴える部位は第１，第２手摺ユニット２３，２４の上横材６２であると考えられるから、幅方向の段差の無い無段差に構成された上横材６２によって、外観が整えられて見栄えがよくなるので、形態的な違和感を与えることがない。また、第１上弦材２７と第２上弦材３４とが相対移動自在に相互に嵌合して組み合わされることによって、第１上弦材２７と第２上弦材３４の上下方向および幅方向の相対変位が抑えられて、第１上弦材２７と第２上弦材３４の円滑な長手方向の相対移動を実現して、各建物Ａ，Ｂの近接および離反する方向の相対変位に追従して第１上弦材２７と第２上弦材３４との長手方向の相対移動を許容できる。
【００５１】
また本実施形態によれば、第１上弦材２７の第１笠木部材４９は円弧状の屋根部４１を有し、第２上弦材３４の第２笠木部材５５は円弧状の屋根部４２を有しているので、平坦な屋根部の笠木部材よりも見栄えがよくなる。円弧状の屋根部４１，４２を有している第１，第２笠木部材４９，５５は、同じ素材で等しい肉厚を有して等高・等幅で形成された平坦な屋根部を有している笠木部材よりも強度アップを図れる。そのため、第１笠木部材４９および第２笠木部材それぞれの肉厚を小さく設定しても、所定の強度を十分に確保できるので、第１笠木部材４９と第２笠木部材５５との間に第２笠木部材５５の肉厚によって生じる段差を小さく抑えて上横材６２の外観を整えることができる。
【００５２】
さらに本実施形態によれば、下横材７４の幅方向の大きさＷ５は、上横材６２の幅方向の大きさＷ６以内に設定されているので、下横材７４に形成される幅方向の段差を下横材７４の幅方向の大きさＷ５の略１／２に縮小して下横材７４の外観を整えることができる。
【００５３】
また本実施形態によれば、下横材７４の第１下弦材２８と第２下弦材３５とを長手方向の相対移動自在に相互に連結している連結手段７５は、第１下弦材２８と第２下弦材３５に一体に形成されたレール部７６と、このレール部７６がその長手方向に移動自在に嵌まり込むように第１下弦材２８と第２下弦材３５に一体に形成された案内溝部７７とのペア７８が上下２位置に離反して設けられることによって構成されているので、第１下弦材２８と第２下弦材３５との連結力が高められ、第１下弦材２８と第２下弦材３５の上下方向および幅方向の相対変位が抑えられて、第１下弦材２８と第２下弦材３５の円滑な長手方向の相対移動を実現して、各建物Ａ，Ｂの近接および離反する方向の相対変位に追従して第１下弦材２８と第２下弦材３５との長手方向の相対移動を許容できる。
【００５４】
図１７（ａ）は、上横材６２における第１笠木部材４９の第２実施形態を示す鉛直断面図であり、図１７（ｂ）は、上横材６２における第１，第２笠木部材４９，５５の第３実施形態を示す鉛直断面図である。図１７（ａ）のように、第１笠木部材４９は、その内側の円弧状の屋根部４１と一方の支柱連結板部４３の内端部とを縦壁部８９で連続させて、内側の円弧状の屋根部４１の一部，一方の縦壁部４１ａ，一方の支柱連結板部４３および縦壁部８９によって囲まれた中空部９０を有する閉断面構造にすることで強度を高めることができる。図１７（ｂ）のように、第１笠木部材４９は、その内側の円弧状の屋根部４１と一方の支柱連結板部４３の内端部とを、案内溝部９１を形成した縦壁部８９で連続させて、内側の円弧状の屋根部４１の一部，一方の縦壁部４１ａ，一方の支柱連結板部４３，案内溝部９１および縦壁部８９によって囲まれた中空部９０を有する閉断面構造にするとともに、第２笠木部材５５の他方の支柱連結板部４６の内端部には、前記案内溝部９１に長手方向の移動自在に嵌まり込むレール部９２を形成し、レール部９２と案内溝部９１とで、第１笠木部材４９と第２笠木部材５５とを長手方向に移動自在に相互に連結する連結部９３を構成することにより、第１笠木部材４９の強度を高め、かつ第１笠木部材４９と第２笠木部材５５との連結による組み合わせ強度を高めて、各建物の近接および離反する方向の相対変位に追従して第１笠木部材４９と第２笠木部材５５との長手方向の相対移動を許容できる。なお、図１７（ａ），（ｂ）において、前記第１実施形態で説明した第１，第２笠木部材４９，５５と同一部分には同一符号を付して、重複する構造および作用の説明は省略する。
【００５５】
図１８は、下横材７４における第１下弦材２８と第２下弦材３５の第２実施形態を示す鉛直断面図である。第１下弦材２８は、下側のレール部７６の下端部近傍と第２下弦材３５に離反する側の外側縦壁部２８ａとを幅方向水平に延びる横壁部９４で連続させて、外側縦壁部２８ａ，横壁部９４，下側のレール部７６，上側の案内溝部７７および天井壁部２８ｂによって囲まれた中空部９５を有する閉断面構造にすることで強度を高めることができ、第２下弦材３５は、下側の案内溝部７７と第１下弦材２８に離反する側の外側縦壁部３５ａとを幅方向水平に延びる横壁部９６で連続させて、下側の案内溝部７７，横壁部９６，外側縦壁部３５ａおよび天井壁部３５ｂによって囲まれた中空部９７を有する閉断面構造にすることで強度を高めることができる。
【００５６】
前記実施形態では、第２上弦材３４の断面を第１上弦材２７の断面よりも大きくして、第１上弦材２７を第２上弦材３４に小さい隙間を有して嵌挿しているが、逆に、第１上弦材２７の断面を第２上弦材３４の断面よりも大きくして、第２上弦材３４を第１上弦材２７に小さい隙間を有して嵌挿してもよい。
【図面の簡単な説明】
【００５７】
【図１】本発明の一実施形態が適用される渡り通路の正面図である。
【図２】図１の切断面線II−IIら見た平面図である。
【図３】図１の切断面線ＩＩＩ−ＩＩＩから見た拡大側面図である。
【図４】第１上弦材と第２上弦材との嵌挿状態を拡大して示す斜視図である。
【図５】第１上弦材の一端部を拡大して示す斜視図である。
【図６】第２上弦材の他端部を拡大して示す斜視図である。
【図７】第１，第２支柱の拡大横断面図である。
【図８】第１，第２笠木受け部材の拡大斜視図である。
【図９】図９（ａ）は笠木部材と笠木受け部材との連結を示す側面図であり、図９（ｂ）は支柱と笠木受け部材との連結を示す斜視図である。
【図１０】第１，第２竪桟の拡大横断面図である。
【図１１】竪桟受け部材と竪桟との連結を示す拡大斜視図である。
【図１２】竪桟受け部材と笠木受け部材との連結を示す側面図である。
【図１３】手摺ユニットの第２下弦材の他端部と第２支柱との連結状態を示す斜視図である。
【図１４】手摺ユニットの第１下弦材と第２下弦材との連結状態を示す斜視図である。
【図１５】手摺ユニットの第１下弦材の一端部と第１支柱との連結状態を示す斜視図である。
【図１６】第１，第２下弦材と第１，第２竪桟との連結を示す断面図である。
【図１７】図１７（ａ）は第１笠木部材の第２実施形態を示す鉛直断面図であり、図１７（ｂ）は第１，第２笠木部材の第３実施形態を示す鉛直断面図である。
【図１８】第１下弦材と第２下弦材の第２実施形態を示す鉛直断面図である。
【図１９】従来例を示す鉛直断面図である。
【符号の説明】
【００５８】
２０  エキスパンションジョイント手摺
２３  第１手摺ユニット
２４  第２手摺ユニット
２５  第１柵体
２６  第２柵体
２７  第１上弦材
２８  第１下弦材
２９  第１支柱
３０  第１竪桟
３２  ヒンジ
３３  ヒンジ
３４  第２上弦材
３５  第２下弦材
３６  第２支柱
３７  第２竪桟
３９  ヒンジ
４０  ヒンジ
４１  内側の円弧状の屋根部
４１ａ  内側の縦壁部
４１ｂ  内側の縦壁部
４２  外側の円弧状の屋根部
４２ａ  外側の縦壁部
４２ｂ  外側の縦壁部
４３  一方の支柱連結板部
４６  他方の支柱連結板部
４７  第１支柱連結板部
４８  第１竪桟連結板部
４９  第１笠木部材
５０  第１笠木受け部材
５１  第１竪桟受け部材
５３  第２支柱連結板部
５４  第２竪桟連結板部
５５  第２笠木部材
５６  第２笠木受け部材
５７  第２竪桟受け部材
６２  上横材
７４  下横材
７５  連結手段
７６  レール部
７７  案内溝部
７８  ペア
Ａ，Ｂ  建物
Ｃ  空隙
Ｃ１  第１上弦材の長手方向の軸線
Ａ１，Ｂ１  通路
Ｗ５  下横材の幅方向の大きさ
Ｗ６  上横材の幅方向の大きさ
【図１】
2007308921.tif 000003
【図２】
2007308921.tif 000004
【図３】
2007308921.tif 000005
【図４】
2007308921.tif 000006
【図５】
2007308921.tif 000007
【図６】
2007308921.tif 000008
【図７】
2007308921.tif 000009
【図８】
2007308921.tif 000010
【図９】
2007308921.tif 000011
【図１０】
2007308921.tif 000012
【図１１】
2007308921.tif 000013
【図１２】
2007308921.tif 000014
【図１３】
2007308921.tif 000015
【図１４】
2007308921.tif 000016
【図１５】
2007308921.tif 000017
【図１６】
2007308921.tif 000018
【図１７】
2007308921.tif 000019
【図１８】
2007308921.tif 000020
【図１９】
2007308921.tif 000021